(57)【要約】【課題】  ミキシング装置に備えるクロスフェーダ部を普段使用しているクロスフェーダ部に交換せずとも、予め指の感覚で覚えているクロスフェーダ部の操作と同様の操作を行うことができるミキシング装置を提供する。【解決手段】  第１及び第２の信号を入力する入力部と、第１及び第２の信号の合成の比率を変化させるクロスフェーダ部を備え、クロスフェーダ部は、両端部分にそれぞれ第１及び第２の雄ネジ部を備えると共に一端に凹部を備えるシャフトと、シャフトの両端を軸支するケース部と、シャフトの軸方向にスライドするスライド部と、第１及び第２の雄ネジ部にそれぞれねじ込まれ、スライド部のスライドを抑制する第１及び第２のストッパー部とを備え、第１及び第２のストッパー部は、それぞれケース部の長孔から突出する凸部を備え、第１及び第２の雄ネジ部は、それぞれ軸方向に対して対向する方向にねじ込まれるねじ山が形成されている。【選択図】  図３
2007228543.tif 000002
【特許請求の範囲】
【請求項１】
第１のオーディオ信号及び第２のオーディオ信号を入力する入力部と、前記入力部に入力された第１のオーディオ信号及び第２のオーディオ信号の合成の比率を変化させて出力するクロスフェーダ部と、前記クロスフェーダ部から出力されたオーディオ信号を出力する出力部を備えるミキシング装置において、
前記クロスフェーダ部は、両端部分にそれぞれ第１の雄ネジ部及び第２の雄ネジ部を備えると共に一端に凹部を備えるシャフトと、前記シャフトを軸支し当該シャフトの軸方向に開口した長孔を備えるケース部と、前記シャフトの軸方向にスライドすることにより前記入力部に入力された第１のオーディオ信号及び第２のオーディオ信号の合成の比率を変化させるスライド部と、雌ネジ部を備え前記第１の雄ネジ部及び前記第２の雄ネジ部に前記雌ネジ部がそれぞれねじ込まれ前記スライド部の両端方向へのスライドを抑止する第１のストッパー部及び第２のストッパー部とを備え、
前記第１のストッパー部及び第２のストッパー部は、それぞれ前記ケース部の前記長孔から突出し前記長孔を前記シャフトの軸方向にスライドする凸部を備え、
前記第１の雄ネジ部及び前記第２の雄ネジ部は、軸を中心に前記シャフトを一定方向に回転させたとき前記第１のストッパー部及び前記第２のストッパー部がそれぞれ軸方向に対して対向する方向にねじ込まれるねじ山が形成されていることを特徴とするミキシング装置。
【請求項２】
第１のオーディオ信号及び第２のオーディオ信号を入力する入力部と、前記入力部に入力された第１のオーディオ信号及び第２のオーディオ信号の合成の比率を変化させて出力するクロスフェーダ部と、前記クロスフェーダ部から出力されたオーディオ信号を出力する出力部を備えるミキシング装置において、
前記クロスフェーダ部は、両端部分にそれぞれ第１の雄ネジ部及び第２の雄ネジ部を備えるシャフトと、前記シャフトを軸支し当該シャフトの軸方向に開口した長孔を備えるケース部と、前記シャフトの軸方向にスライドすることにより前記入力部に入力された第１のオーディオ信号及び第２のオーディオ信号の合成の比率を変化させるスライド部と、雌ネジ部を備え前記第１の雄ネジ部及び前記第２の雄ネジ部に前記雌ネジ部がそれぞれねじ込まれ前記スライド部の両端方向へのスライドを抑止する第１のストッパー部及び第２のストッパー部と、前記第１のストッパー部及び前記第２のストッパー部の位置を設定する設定指示信号を出力する位置設定釦と、設定の解除を指示する解除指示信号を出力する設定解除釦と、前記シャフトを回動させるシャフト回動部と、前記位置設定釦から前記設定指示信号が出力されたときの前記スライド部及び前記第１のストッパー部の位置を検出する位置検出部と、前記シャフト回動部及び前記位置検出部を制御する制御部とを備え、
前記第１のストッパー部及び第２のストッパー部は、それぞれ前記ケース部の前記長孔から突出し前記長孔を前記シャフトの軸方向にスライドする凸部を備え、
前記第１の雄ネジ部及び前記第２の雄ネジ部は、軸を中心に前記シャフトを一定方向に回転させたとき前記第１のストッパー部及び前記第２のストッパー部がそれぞれ軸方向に対して対向する方向にねじ込まれるねじ山が形成され、
前記制御部は、前記位置検出部が検出した前記スライド部及び前記第１のストッパー部の位置に基づいて前記位置設定釦から設定指示信号が出力されたとき前記第１のストッパー部が前記スライド部に当接する位置に移動するよう前記シャフト回動部を制御し、前記設定解除釦から設定解除信号が出力されたとき前記第１のストッパー部が最も端となる位置に移動するよう前記シャフト回動部を制御することを特徴とするミキシング装置。
【発明の詳細な説明】
【技術分野】
【０００１】
本発明は、入力されたオーディオ信号に音響効果処理を施してオーディオ信号を出力するミキシング装置に関する。
【背景技術】
【０００２】
従来のミキシング装置は、オーディオ信号を入力する複数の入力端子を備えている。また、従来のミキシング装置は、複数の入力端子に入力される複数のオーディオ信号のうち２つのオーディオ信号の合成の比率を調節するクロスフェーダを備えている（例えば、特許文献１参照）。
【０００３】
図１０は、従来のミキシング装置の一例の構成を示す斜視図である。
従来のミキシング装置１００は、パネル３、ノブ５、第１の入力端子６、第２の入力端子７、出力端子２５、筐体２００及びクロスフェーダ部４００を備える。
【０００４】
パネル３は、上方が開口した箱型である筐体２００の上部に固定される、パネル３は、細長い角孔である孔３０１を備えると共に孔３０１の両端部分にそれぞれ孔３０２及び孔３０３を備える。クロスフェーダ部４００は、箱型であるケース部４１の上面に細長い角孔である孔４０１を備え、孔４０１から凸部１０１が上方に突出している。クロスフェーダ部４００は、孔４０１の両端部分にそれぞれ雌ネジ部４０６及び雌ネジ部４０７を備える。
【０００５】
クロスフェーダ部４００は、雄ネジ３１がパネル３の孔３０２及び孔３０３を介して雌ネジ部４０６及び雌ネジ部４０７に締め付けられることにより、パネル３に固定される。このとき、凸部１０１は、孔３０１から上方に突出する。ノブ５は、下面に孔５０１を備える。クロスフェーダ部４００は、パネル３に固定された後、凸部１０１の上部にノブ５の孔５０１が挿入されることにより、ノブ５を固定する。
【０００６】
図１１は、従来のミキシング装置１００を示すブロック図である。
クロスフェーダ部４００は、合成部４５を備える。第１の入力端子６及び第２の入力端子７は、それぞれアナログレコードプレーヤやＣＤプレーヤ等の他の装置から出力されたオーディオ信号を入力し、合成部４５に出力する。合成部４５は、第１の入力端子６及び第２の入力端子７から出力されたオーディオ信号を合成して出力端子２５に出力する。合成部４５は、クロスフェーダ部４００の後述するスライド部の凸部１０１の位置に応じて第１の入力端子６及び第２の入力端子７から出力されたオーディオ信号の合成比率を変更して出力端子２５に出力する。
【０００７】
図１２は、従来のミキシング装置１００のクロスフェーダ部４００の構成を示す断面図で、図１２（ａ）はノブ５が孔３０１の中央の位置にある状態を示す断面図、図１２（ｂ）は図１２（ａ）の状態からノブ５を左方向及び右方向にスライドさせた状態を示す断面図である。
クロスフェーダ部４００は、スライド部１０及びシャフト８０を備える。
【０００８】
シャフト８０は、両端がケース部４１の左右の側壁にそれぞれ固定されている。スライド部１０は、上方部分に前述した凸部１０１を備え、水平方向に開口した図示しない孔を備える。スライド部１０は、この水平方向に開口した孔にシャフト８０が挿入されることにより、シャフト８０を軸方向に自在にスライドする。このように、スライド部１０がシャフト８０を軸方向に自在にスライドすることによって、凸部１０１に固定されたノブ５は、凸部１０１が孔３０１の左端に当接する位置から孔３０１の右端に当接する位置までの間を自在にスライドする。
【０００９】
合成部４５は、クロスフェーダ部４００の凸部１０１が孔３０１に対して中央の位置にある場合、第１の入力端子６及び第２の入力端子７に入力されるオーディオ信号を略同じ比率に合成し、合成したオーディオ信号を出力端子２５に出力する。合成部４５は、クロスフェーダ部４００の凸部１０１が孔３０１に対して中央の位置にある場合から左方向にスライドすることに伴って第１の入力端子６に入力されたオーディオ信号の比率を第２の入力端子７に入力されたオーディオ信号の比率よりも増加させ、また、凸部１０１が孔３０１に対して中央の位置にある場合から右方向にスライドすることに伴って第２の入力端子７に入力されたオーディオ信号の比率を第１の入力端子６に入力されたオーディオ信号の比率よりも増加させて合成する。そして、合成部４５は、クロスフェーダ部４００の凸部１０１が孔３０１の左端に当接した位置にある場合は、第１の入力端子６に入力されるオーディオ信号のみを出力端子２５に出力し、また、凸部１０１が孔３０１の右端に当接した位置にある場合は、第２の入力端子７に入力されるオーディオ信号のみを出力端子２５に出力する。
【００１０】
出力端子２５は、オーディオ信号増幅装置（図示しない）に接続され、合成部４５から出力されたオーディオ信号をオーディオ信号増幅装置に出力する。オーディオ信号増幅装置は、出力端子２５から出力されたオーディオ信号を増幅し、スピーカ（図示しない）に出力する。スピーカは、オーディオ信号増幅装置によって増幅されたオーディオ信号を出力する。
【００１１】
ミキシング装置１００の第１の入力端子６及び第２の入力端子７には、CD（Compact Disc）プレーヤ、アナログレコードプレーヤ等の再生装置が接続される。このような従来のミキシング装置１００、アナログレコードプレーヤ等を用いて様々な効果音を生成するディスクジョッキー（Disc Jockey（以下、DJという。））は、ミキシング装置１００に接続されたCDプレーヤやアナログレコードプレーヤから入力されるオーディオ信号を聴取しながら、クロスフェーダ部４００を操作する。また、ＤＪは、ミキシング装置１００の操作と同時に、アナログレコードプレーヤを用いて、アナログレコードを素早く時計回り方向又は反時計回り方向に回すことにより擦れ音のようなスクラッチ再生音を発生させる操作も行う。
【００１２】
このように、ＤＪは、ミキシング装置のクロスフェーダを用いて、例えば、第１の入力端子６から入力されるＣＤからのオーディオ信号の拍に合わせて、第２の入力端子７から入力されるアナログレコードプレーヤからのスクラッチ再生音を合成させた効果音を生成する操作をすることによって、様々な効果音を生成することができる。
【００１３】
【特許文献１】特開平９−２８４８３号公報
【発明の開示】
【発明が解決しようとする課題】
【００１４】
ＤＪがミキシング装置やアナログレコードプレーヤ等を用いて様々な効果音を生成する場合は、ミキシング装置の操作と同時に、アナログレコードプレーヤに載置したアナログレコードを素早く回転させて擦れ音のようなスクラッチ再生音を発生させる操作も行うため、ミキシング装置を目視しないでクロスフェーダ部の操作を行わなければならないことが多い。このため、ＤＪは、ミキシング装置を目視しないで第１の入力端子６及び第２の入力端子７の合成比率が同じ比率となるようにクロスフェーダ部のノブを略中央の位置に合わせる必要がある場合は、予めノブを左端または右端の一端にスライドさせた位置からノブが略中央の位置となるまでにスライドさせるノブの距離を予め指の感覚で覚えておき、ミキシング装置のノブを操作する場合、この予め覚えておいた指の感覚でノブをスライドさせ、クロスフェーダ部のノブを略中央の位置に合わせる必要がある。
【００１５】
一方、ＤＪがミキシング装置やアナログレコードプレーヤ等を用いて様々な効果音を生成するのは、通常、ダンスホールなどの場所であることが多く、このようなダンスホールでは、予めミキシング装置やアナログレコードプレーヤが備え付けられていることが多い。このため、ＤＪは、普段使用しているミキシング装置と異なる備え付けのミキシング装置を操作する場合がある。
【００１６】
このため、例えば、図１２（ｂ）に示すように、ＤＪが普段使用しているミキシング装置１００のクロスフェーダ部４００の凸部１０１が孔３０１の左端に当接する位置から右端に当接する位置までのノブ５の距離が距離Ｗ３であって、ダンスホールに備え付けられているミキシング装置のノブのスライドする距離が図１２（ｂ）に示す距離Ｗ３より長い場合や短い場合、ＤＪは、ミキシング装置を目視しないで第１の入力端子６及び第２の入力端子７の合成比率が同じ比率となるようにクロスフェーダ部のノブを略中央の位置に合わせようとしても、ノブを左端または右端の一端にスライドさせた位置からノブが略中央の位置となるまでにスライドさせるのに必要なノブの距離が、予め指の感覚で覚えておいた距離と異なるため、クロスフェーダ部のノブを略中央の位置に合わせることができなくなる。
【００１７】
このため、ＤＪは、予め指の感覚でノブが中央の位置となるのを覚えているクロスフェーダ部を各々持参し、複数の異なるＤＪが備え付けのミキシング装置を操作する場合は、その都度、図１０に示すミキシング装置１００のクロスフェーダ部４００を各々のＤＪが自ら持参した専用のクロスフェーダ部に交換する必要があり、この交換作業に多大な時間及び費用を要していた。
【００１８】
本発明は、第１のオーディオ信号及び第２のオーディオ信号の合成の比率を変化させて出力するクロスフェーダ部を備えるミキシング装置において、ミキシング装置に備えるクロスフェーダ部を普段使用しているクロスフェーダ部に交換せずとも、予め指の感覚で覚えているクロスフェーダ部の操作と同様の操作を行うことができるミキシング装置を提供することを目的とする。
【課題を解決するための手段】
【００１９】
本願の請求項１記載の発明は、第１のオーディオ信号及び第２のオーディオ信号を入力する入力部と、前記入力部に入力された第１のオーディオ信号及び第２のオーディオ信号の合成の比率を変化させて出力するクロスフェーダ部と、前記クロスフェーダ部から出力されたオーディオ信号を出力する出力部を備えるミキシング装置において、前記クロスフェーダ部は、両端部分にそれぞれ第１の雄ネジ部及び第２の雄ネジ部を備えると共に一端に凹部を備えるシャフトと、前記シャフトを軸支し当該シャフトの軸方向に開口した長孔を備えるケース部と、前記シャフトの軸方向にスライドすることにより前記入力部に入力された第１のオーディオ信号及び第２のオーディオ信号の合成の比率を変化させるスライド部と、雌ネジ部を備え前記第１の雄ネジ部及び前記第２の雄ネジ部に前記雌ネジ部がそれぞれねじ込まれ前記スライド部の両端方向へのスライドを抑止する第１のストッパー部及び第２のストッパー部とを備え、前記第１のストッパー部及び第２のストッパー部は、それぞれ前記ケース部の前記長孔から突出し前記長孔を前記シャフトの軸方向にスライドする凸部を備え、前記第１の雄ネジ部及び前記第２の雄ネジ部は、軸を中心に前記シャフトを一定方向に回転させたとき前記第１のストッパー部及び前記第２のストッパー部がそれぞれ軸方向に対して対向する方向にねじ込まれるねじ山が形成されていることを特徴とする。
【００２０】
本願の請求項２記載の発明は、第１のオーディオ信号及び第２のオーディオ信号を入力する入力部と、前記入力部に入力された第１のオーディオ信号及び第２のオーディオ信号の合成の比率を変化させて出力するクロスフェーダ部と、前記クロスフェーダ部から出力されたオーディオ信号を出力する出力部を備えるミキシング装置において、前記クロスフェーダ部は、両端部分にそれぞれ第１の雄ネジ部及び第２の雄ネジ部を備えるシャフトと、前記シャフトを軸支し当該シャフトの軸方向に開口した長孔を備えるケース部と、前記シャフトの軸方向にスライドすることにより前記入力部に入力された第１のオーディオ信号及び第２のオーディオ信号の合成の比率を変化させるスライド部と、雌ネジ部を備え前記第１の雄ネジ部及び前記第２の雄ネジ部に前記雌ネジ部がそれぞれねじ込まれ前記スライド部の両端方向へのスライドを抑止する第１のストッパー部及び第２のストッパー部と、前記第１のストッパー部及び前記第２のストッパー部の位置を設定する設定指示信号を出力する位置設定釦と、設定の解除を指示する解除指示信号を出力する設定解除釦と、前記シャフトを回動させるシャフト回動部と、前記位置設定釦から前記設定指示信号が出力されたときの前記スライド部及び前記第１のストッパー部の位置を検出する位置検出部と、前記シャフト回動部及び前記位置検出部を制御する制御部とを備え、前記第１のストッパー部及び第２のストッパー部は、それぞれ前記ケース部の前記長孔から突出し前記長孔を前記シャフトの軸方向にスライドする凸部を備え、前記第１の雄ネジ部及び前記第２の雄ネジ部は、軸を中心に前記シャフトを一定方向に回転させたとき前記第１のストッパー部及び前記第２のストッパー部がそれぞれ軸方向に対して対向する方向にねじ込まれるねじ山が形成され、前記制御部は、前記位置検出部が検出した前記スライド部及び前記第１のストッパー部の位置に基づいて前記位置設定釦から設定指示信号が出力されたとき前記第１のストッパー部が前記スライド部に当接する位置に移動するよう前記シャフト回動部を制御し、前記設定解除釦から設定解除信号が出力されたとき前記第１のストッパー部が最も端となる位置に移動するよう前記シャフト回動部を制御することを特徴とする。
【発明の効果】
【００２１】
本発明によれば、第１のオーディオ信号及び第２のオーディオ信号の合成の比率を変化させて出力するクロスフェーダ部を備えるミキシング装置において、ミキシング装置に備えるクロスフェーダ部を普段使用しているクロスフェーダ部に交換せずとも、予め指の感覚で覚えているクロスフェーダ部の操作と同様の操作を行うことができるミキシング装置を提供することができる。
【発明を実施するための最良の形態】
【００２２】
以下、本発明の実施の形態を図面に基づいて説明する。
図１は、本発明の第１実施例のミキシング装置の構成を示す斜視図である。
ミキシング装置１は、筐体２、パネル３、クロスフェーダ部４、ノブ５、第１の入力端子６、第２の入力端子７及び出力端子２５を備える。
【００２３】
筐体２は、上方が開口した箱型であり、右側面に孔２０１を備える。
パネル３は、筐体２の上部に図示しない固定ネジにより固定される。パネル３は、細長い角孔である孔３０１を備えると共に孔３０１の両端部分にそれぞれ孔３０２及び孔３０３を備える。クロスフェーダ部４は、箱型であるケース部４１の上面に細長い角孔である孔４０１を備え、孔４０１から凸部１０１が上方に突出している。クロスフェーダ部４は、孔４０１の両端部分にそれぞれ雌ネジ部４０６及び雌ネジ部４０７を備える。
【００２４】
クロスフェーダ部４は、雄ネジ３１がパネル３の孔３０２及び孔３０３を介して雌ネジ部４０６及び雌ネジ部４０７に締め付けられることにより、パネル３に固定される。このとき、凸部１０１は、孔３０１から上方に突出する。ノブ５は、下面に孔５０１を備える。クロスフェーダ部４００は、パネル３に固定された後、凸部１０１の上部にノブ５の孔５０１が挿入されることにより、ノブ５を固定する。
筐体２の孔２０１は、クロスフェーダ部４がパネル３に固定され、パネル３が筐体２の上方に固定された状態の場合、クロスフェーダ部４に対して略水平となる右側面の位置に配設される。
【００２５】
図２は、本発明の第１実施例のミキシング装置１を示すブロック図である。
クロスフェーダ部４は、合成部４５を備える。第１の入力端子６及び第２の入力端子７は、それぞれアナログレコードプレーヤやＣＤプレーヤ等の他の装置から出力されたオーディオ信号を入力し、合成部４５に出力する。合成部４５は、第１の入力端子６及び第２の入力端子７から出力されたオーディオ信号を合成して出力端子２５に出力する。合成部４５は、クロスフェーダ部４の後述するスライド部の位置に応じて第１の入力端子６及び第２の入力端子７から出力されたオーディオ信号の合成比率を変更して出力端子２５に出力する。
【００２６】
図３は、本発明の第１実施例のミキシング装置１のクロスフェーダ部４の構成を示す断面図で、図３（ａ）はノブ５が孔３０１の中央の位置にある状態を示す断面図、図３（ｂ）は図３（ａ）のＡ−Ａ断面図である。
図３（ｂ）においては、左方向をクロスフェーダ部４の前方とし、左方向をクロスフェーダ部４の後方とする。
クロスフェーダ部４は、ケース部４０の内部に第１のシャフト８、第２のシャフト９、スライド部１０、第１のストッパー部２０及び第２のストッパー部２１を備える。
【００２７】
ケース部４０は、図１、図３（ａ）及び図３（ｂ）に示すように、前面の左側部分及び右側部分にそれぞれ水平方向に細長い角孔である長孔４０４及び長孔４０５を備える。また、ケース部４０は、図３（ａ）及び図３（ｂ）に示すように、左右の側面にそれぞれ孔４０２及び孔４０３を備える。
【００２８】
第１のシャフト８は、両端部分が孔４０２及び孔４０３に軸支される。また、第１のシャフト８は、孔４０２及び孔４０３よりも外側となる両端にそれぞれＥリング１１及びＥリング１２が固定され、孔４０２及び孔４０３が水平方向に抜け落ちないよう保持されている。第２のシャフト９は、第１のシャフト８に対して平行となるように配設され、両端がケース部４０の左右の側壁にそれぞれ固定されている。
【００２９】
スライド部１０は、上方部分に前述した凸部１０１を備え、水平方向に開口した孔１０２及び孔１０３を備える。スライド部１０は、この孔１０２及び孔１０３にそれぞれ第１のシャフト８及び第２のシャフト９が挿入されることにより、第１のシャフト８及び第２のシャフト９を軸方向に自在にスライドする。
【００３０】
第１のシャフト８は、左側部分及び右側部分にそれぞれ第１の雄ネジ部８０１及び第２の雄ネジ部８０２を備える。第１の雄ネジ部８０１は、第１のシャフト８の左側方向から見て時計回り方向に回転するのに伴って第１のシャフト８の中央方向にらせん状の溝を形成するねじ山である。一方、第２の雄ネジ部８０２は、第１のシャフト８の右側方向から見て反時計回り方向に回転するのに伴って第１のシャフト８の中央方向にらせん状の溝を形成するねじ山である。第１のシャフト８は、左端に凹部８０３を備える。
【００３１】
第１のストッパー部２０及び第２のストッパー部２１は、それぞれ薄い円筒型であり、軸方向に雌ネジ部２２を備え、外周部分に凸部２３を備える。第１のストッパー部２０は、凸部２３がケース部４０の長孔４０４に突出した状態で雌ネジ部２２が第１のシャフト８の第１の雄ネジ部８０１にねじ込まれている。第２のストッパー部２１は、凸部２３がケース部４０の長孔４０５に突出した状態で雌ネジ部２２が第１のシャフト８の第１の第２の雄ネジ部８０２にねじ込まれている。
【００３２】
図４は、本発明の第１実施例において、クロスフェーダ部４をパネル３に固定した後に凸部１０１にノブ５を固定した状態を示す図で、図４（ａ）はノブ５が孔３０１の中央の位置にある状態を示す断面図、図４（ｂ）は図４（ａ）の状態からノブ５を左方向及び右方向にスライドさせた状態を示す断面図である。
【００３３】
図４（ａ）に示すように、ノブ５が孔３０１に対して中央の位置にある状態からノブ５を左方向にスライドさせると、図４（ｂ）に示すように、スライド部１０は、左側面が第１のストッパー部２０に当接する位置までスライドする。また、図４（ａ）に示すように、ノブ５が孔３０１に対して中央の位置にある状態からノブ５を右方向にスライドさせると、図４（ｂ）に示すように、スライド部１０は、右側面が第２のストッパー部２１に当接する位置までスライドする。
なお、図４（ｂ）に示すように、スライド部１０が第１のストッパー部２０に当接する位置から第２のストッパー部２１に当接する位置までにノブ５がスライドする距離を距離Ｗ１とする。
【００３４】
合成部４５は、クロスフェーダ部４のスライド部１０が中央の位置にある場合、第１の入力端子６及び第２の入力端子７に入力されるオーディオ信号を略同じ比率に合成し、合成したオーディオ信号を出力端子２５に出力する。合成部４５は、クロスフェーダ部４のスライド部１０が中央の位置にある場合から左方向にスライドすることに伴って第１の入力端子６に入力されたオーディオ信号の比率を第２の入力端子７に入力されたオーディオ信号の比率よりも増加させ、また、スライド部１０が中央の位置にある場合から右方向にスライドすることに伴って第２の入力端子７に入力されたオーディオ信号の比率を第１の入力端子６に入力されたオーディオ信号の比率よりも増加させて合成する。そして、合成部４５は、クロスフェーダ部４のスライド部１０が第１のストッパー部２０に当接した位置にある場合は、第１の入力端子６に入力されるオーディオ信号のみを出力端子２５に出力し、また、スライド部１０が第２のストッパー部２１に当接した位置にある場合は、第２の入力端子７に入力されるオーディオ信号のみを出力端子２５に出力する。
【００３５】
図５は、本発明の第１実施例において、クロスフェーダ部４をパネル３に固定した後に凸部１０１にノブ５を固定した状態を示す図で、図５（ａ）は、図４（ａ）に示す状態からドライバーの先端を第１のシャフト８の凹部８０３に嵌合させて回転させた状態を示す断面図、図５（ｂ）は、図５（ａ）の状態からノブ５を左方向及び右方向にスライドさせた状態を示す断面図である。
【００３６】
図５（ａ）に示すように、先端に凸部を備えたドライバー３０を図１に示す筐体２の孔２０１を介して第１のシャフト８の凹部８０３に嵌合させた状態とし、このドライバー３０を時計回り方向に回転させる。第１のシャフト８の凹部８０３にドライバー３０の先端の凸部を嵌合させた状態でドライバー３０を第１のシャフト８の右側方向から見て時計回り方向に回転させることによって、第１のシャフト８も第１のシャフト８の右側方向から見て時計回り方向に回転する。このとき、第１のストッパー部２０は、凸部２３が長孔４０４に突出していることから第１のシャフト８の軸を中心に回転することを抑止され、また、第１の雄ネジ部８０１が第１のシャフト８の左側方向から見て時計回り方向に回転するのに伴って第１のシャフト８の中央方向にらせん状の溝を形成するねじ山であることから、凸部２３が長孔４０４をスライドしながら第１のシャフト８の中央方向に移動する。また、第２のストッパー部２１は、凸部２３が長孔４０５に突出していることから第１のシャフト８の軸を中心に回転することを抑止され、また、第２の雄ネジ部８０２が第１のシャフト８の右側方向から見て反時計回り方向に回転するのに伴って第１のシャフト８の中央方向にらせん状の溝を形成するねじ山であることから、凸部２３が長孔４０５をスライドしながら第１のシャフト８の中央方向に移動する。
【００３７】
つまり、ドライバー３０を第１のシャフト８の凹部８０３に嵌合させた状態で、ドライバー３０を時計回り方向に回転させると、第１のストッパー部２０及び第２のストッパー部２１がそれぞれ第１のシャフト８の中央方向に移動する。また、この構成により、図示しないが、ドライバー３０を第１のシャフト８の凹部８０３に嵌合させた状態で、ドライバー３０を反時計回り方向に回転させると、第１のストッパー部２０及び第２のストッパー部２１がそれぞれ第１のシャフト８の両端方向に移動することとなる。
【００３８】
図５（ａ）に示すように、図４（ｂ）に示す状態から第１のストッパー部２０及び第２のストッパー部２１がそれぞれ第１のシャフト８の中央方向に移動することから、スライド部１０が第１のストッパー部２０に当接する位置から第２のストッパー部２１に当接する位置までにノブ５がスライドする距離は、図４（ｂ）に示す距離Ｗ１より短い距離Ｗ２となる。
【００３９】
また、この構成により、図示しないが、ドライバー３０を第１のシャフト８の凹部８０３に嵌合させた状態で、ドライバー３０を反時計回り方向に回転させると、第１のストッパー部２０及び第２のストッパー部２１がそれぞれ第１のシャフト８の右方向及び左方向に移動することとなる。この場合、スライド部１０が第１のストッパー部２０に当接する位置から第２のストッパー部２１に当接する位置までにノブ５がスライドする距離は、図４（ｂ）に示す距離Ｗ１より長い距離となる。
【００４０】
このように、本発明の第１実施例のミキシング装置１は、ドライバー３０を図１に示す筐体２の孔２０１を介して第１のシャフト８の凹部８０３に嵌合させて時計回り方向または反時計回りに回転させることにより、スライド部１０が第１のストッパー部２０に当接する位置から第２のストッパー部２１に当接する位置までにノブ５がスライド可能な距離を変化させることができる。
【００４１】
このことにより、本発明の第１実施例のミキシング装置１は、ＤＪが普段使用しているミキシング装置のクロスフェーダ部の左端から右端までにスライド可能なノブの距離が、例えば、図５（ｂ）に示すように、距離Ｗ２であって、ダンスホールに備え付けられているミキシング装置のクロスフェーダ部の左端から右端までにスライド可能なノブの距離が、例えば、図４（ｂ）に示すように、距離Ｗ１である場合は、ドライバーを用いて第１のシャフト８を時計回り方向に回転させ、クロスフェーダ部の左端から右端までにスライド可能なノブの距離を距離Ｗ２に変化させることで、ダンスホールに備え付けられているミキシング装置のクロスフェーダ部の左端から右端までにスライド可能なノブの距離を、ＤＪが普段使用しているミキシング装置のクロスフェーダ部の左端から右端までにスライド可能なノブの距離に変化させることができる。
【００４２】
また、本発明の第１実施例のミキシング装置１は、ＤＪが普段使用しているミキシング装置のクロスフェーダ部の左端から右端までにスライド可能なノブの距離が、例えば、図４（ｂ）に示すように、距離Ｗ１であって、ダンスホールに備え付けられているミキシング装置のクロスフェーダ部の左端から右端までにスライド可能なノブの距離が、例えば、図５（ｂ）に示すように、距離Ｗ２である場合も、ドライバーを用いて第１のシャフト８を反時計回り方向に回転させ、クロスフェーダ部の左端から右端までにスライド可能なノブの距離を距離Ｗ１に変化させることで、ダンスホールに備え付けられているミキシング装置のクロスフェーダ部の左端から右端までにスライド可能なノブの距離を、ＤＪが普段使用しているミキシング装置のクロスフェーダ部の左端から右端までにスライド可能なノブの距離に変化させることができる。
【００４３】
以上の構成により、本発明の第１実施例のミキシング装置１は、ドライバー３０によって第１のシャフト８を時計回りまたは反時計回りに回転させることによって、クロスフェーダ部の左端から右端までにスライド可能なノブの距離を簡単に変化させることができるので、ＤＪがミキシング装置１を目視しないで第１の入力端子６及び第２の入力端子７の合成比率が同じ比率となるようにクロスフェーダ部のノブを略中央の位置に合わせようとする場合、ＤＪが普段使用しているミキシング装置によって予め覚えておいた指の感覚でクロスフェーダ部のノブを操作させることにより、クロスフェーダ部のノブを略中央の位置に合わせることができる。
【００４４】
次に、本発明の一実施例のミキシング装置の第２実施例について説明する。
図６は、本発明の第２実施例のミキシング装置の構成を示す斜視図である。
ミキシング装置１は、筐体２、パネル３、ノブ５、第１の入力端子６、第２の入力端子７、位置設定釦１５、制御部１７、設定解除釦１９及び出力端子２５及びクロスフェーダ部５０を備える。
【００４５】
パネル３、ノブ５、第１の入力端子６、第２の入力端子７及び出力端子２５は、第１実施例の構成と同じであるため、詳細な説明は省略する。
筐体２は、上方が開口した箱型である。位置設定釦１５及び設定解除釦１９は、それぞれパネル３の上面に配設される。
【００４６】
図７は、本発明の第２実施例のミキシング装置１を示すブロック図である。
図８は、本発明の第２実施例において、クロスフェーダ部５０をパネル３に固定した後に凸部１０１にノブ５を固定した状態を示す図で、図８（ａ）はノブ５が孔３０１の中央の位置にある状態を示す断面図、図８（ｂ）は図８（ａ）の状態からノブ５を左方向及び右方向にスライドさせた状態を示す断面図である。
【００４７】
クロスフェーダ部５０は、第１のシャフト８の一端に凹部８０３を備えず、シャフト回動部１８及び後述する位置検出部を備えること以外の構成については第１実施例のクロスフェーダ部４の構成と同じであるため、詳細な説明は省略する。
【００４８】
位置設定釦１５は、押圧されることによって設定指示信号を出力する。設定解除釦１９は、押圧されることによって解除指示信号を出力する。位置検出部１６は、赤外線センサーであり、第１のストッパー部２０の右側面の位置及びスライド部１０の左側面の位置を検出する。シャフト回動部１８は、第１のシャフト８の一端部分に連結されたモータ１８１を備え、制御部１７の制御によりモータ１８１を回動させる。
【００４９】
制御部１７は、位置設定釦１５から設定指示信号が出力されたとき、位置検出部１６が検出する第１のストッパー部２０の右側面の位置及びスライド部１０の左側面の位置に基づいて、第１のストッパー部２０の右側面からスライド部１０の左側面までの距離を算出する。制御部１７は、算出した第１のストッパー部２０の右側面からスライド部１０の左側面までの距離に基づいて、第１のストッパー部２０がスライド部１０の方向に当該算出した距離だけ移動するようシャフト回動部１８を制御する。シャフト回動部１８は、制御部１７の制御より、第１のストッパー部２０がスライド部１０の方向に当該算出した距離だけ移動するようモータ１８１を回転させる。
【００５０】
制御部１７は、設定解除釦１９から解除指示信号が出力されたとき、位置検出部１６が検出する第１のストッパー部２０の位置に基づいて、図８（ａ）に示すように、第１のストッパー部２０が最も左端となる位置に移動するようシャフト回動部１８を制御する。シャフト回動部１８は、制御部１７の制御に基づいて、第１のストッパー部２０が最も左端となる位置に移動するようモータ１８１を回転させる。
図８（ａ）に示すように、第１のストッパー部２０が最も左端の位置である場合の第１のストッパー部２０の右側面の位置を位置Ｂとする。
【００５１】
図８（ａ）に示すように、第１のストッパー部２０の右側面の位置が位置Ｂである場合、ノブ５が孔３０１に対して中央の位置にある状態からノブ５を左方向にスライドさせると、図８（ｂ）に示すように、スライド部１０は、凸部１０１が孔３０１の左端に当接する位置までスライドし、また、ノブ５を右方向にスライドさせると、図８（ｂ）に示すように、スライド部１０は、凸部１０１が孔３０１の右端に当接する位置までスライドする。なお、図８（ｂ）に示すように、第１のストッパー部２０の右側面の位置が位置Ｂである場合、スライド部１０の凸部１０１が孔３０１の左端に当接する位置から孔３０１の右端に当接する位置までにノブ５がスライドする距離を距離Ｗ４とする。
【００５２】
図９は、本発明の第２実施例において、パネル３に固定されたクロスフェーダ部５０を示す図で、図９（ａ）は、スライド部１０の左側面から第１のストッパー部２０の右側面までの距離が距離Ｔ１であるときに位置設定釦１５が押圧された状態を示す断面図、図９（ｂ）は、図９（ａ）の状態から第１のシャフト８が回転して第１のストッパー部２０及び第２のストッパー部２１が移動した状態を示す断面図である。
本実施例においては、第１のシャフト８が時計回り方向または反時計回り方向に１回転する毎に、第１のストッパー部２０及び第２のストッパー部２１が第１のシャフト８の中央方向または第１のシャフト８の両端方向にそれぞれ１ｍｍ移動するものとする。
【００５３】
制御部１７は、図９（ａ）に示すように、例えば、第１のストッパー部２０の右側面からスライド部１０の左側面までの距離が距離Ｔ１であるときに位置設定釦１５が押圧され、位置設定釦１５から設定指示信号が出力されたとき、位置検出部１６が検出する第１のストッパー部２０の右側面の位置及びスライド部１０の左側面の位置に基づいて、第１のストッパー部２０の右側面からスライド部１０の左側面までの距離が距離Ｔ１であることを算出する。制御部１７は、第１のストッパー部２０がスライド部１０の方向に算出した距離Ｔ１だけ移動するようシャフト回動部１８を制御する。
【００５４】
つまり、例えば、図９（ａ）に示す第１のストッパー部２０の右側面からスライド部１０の左側面までの距離Ｔ１が１０ｍｍである場合、第１のシャフト８の右側方向から見て第１のシャフト８を時計回り方向に１０回転させるようシャフト回動部１８を制御する。シャフト回動部１８は、制御部１７の制御に基づいて、第１のシャフト８の右側方向から見て第１のシャフト８が時計回り方向に１０回転するようモータ１８１を回転させる。モータ１８１が第１のシャフト８の右側方向から見て第１のシャフト８を時計回り方向に１０回転させることにより、第１のストッパー部２０は、凸部２３が長孔４０４に突出していることから第１のシャフト８の軸を中心に回転することを抑止され、また、第１の雄ネジ部８０１が第１のシャフト８の左側方向から見て時計回り方向に回転するのに伴って第１のシャフト８の中央方向にらせん状の溝を形成するねじ山であることから、凸部２３が長孔４０４をスライドしながらスライド部１０の方向に移動する。このとき、第１のストッパー部２０は、第１のシャフト８が１回転する毎に１ｍｍ移動することから、第１のシャフト８の右側方向から見て第１のシャフト８が時計回り方向に１０回転することにより、第１のストッパー部２０は、スライド部１０の方向に１０ｍｍの距離だけ移動することとなる。また、第２のストッパー部２１は、凸部２３が長孔４０５に突出していることから第１のシャフト８の軸を中心に回転することを抑止され、また、第２の雄ネジ部８０２が第１のシャフト８の右側方向から見て反時計回り方向に回転するのに伴って第１のシャフト８の中央方向にらせん状の溝を形成するねじ山であることから、凸部２３が長孔４０５をスライドしながらスライド部１０の方向に移動する。このとき、第２のストッパー部２１も、第１のシャフト８が１回転する毎に１ｍｍの距離を移動することから、第１のシャフト８の右側方向から見て第１のシャフト８が時計回り方向に１０回転することにより、第２のストッパー部２１は、スライド部１０の方向に１０ｍｍの距離だけ移動することとなる。
【００５５】
このように、本発明の第２実施例のミキシング装置１は、図９（ａ）に示すように、スライド部１０の左側面から第１のストッパー部２０の右側面までの距離が距離Ｔ１であるときに位置設定釦１５が押圧されると、制御部１７の制御によって、第１のストッパー部２０がスライド部１０の方向に距離Ｔ１だけ移動し、また、第２のストッパー部２１もスライド部１０の方向に距離Ｔ１だけ移動する。
【００５６】
図９（ｂ）に示すように、図９（ａ）に示す状態から第１のストッパー部２０及び第２のストッパー部２１がそれぞれスライド部１０の方向に距離Ｔ１移動することから、スライド部１０が第１のストッパー部２０に当接する位置から第２のストッパー部２１に当接する位置までにノブ５がスライドする距離は、図８（ｂ）に示すスライド部１０の凸部１０１が孔３０１の左端に当接する位置から孔３０１の右端に当接する位置までにノブ５がスライドする距離Ｗ４より短い距離Ｗ５となる。
【００５７】
また、図示しないが、図９（ｂ）に示すように、スライド部１０が第１のストッパー部２０に当接する位置から第２のストッパー部２１に当接する位置までにノブ５がスライドする距離Ｗ５を、図８（ｂ）に示すような距離Ｗ４に戻したい場合は、設定解除釦１９を押圧する。制御部１７は、設定解除釦１９から解除指示信号が出力されたとき、位置検出部１６が検出する第１のストッパー部２０の位置に基づいて、第１のストッパー部２０が最も左端となる位置、つまり、第１のストッパー部２０の右側面の位置が図８（ａ）に示す位置Ｂとなる位置に移動するようシャフト回動部１８を制御する。シャフト回動部１８は、制御部１７の制御により、第１のストッパー部２０の右側面の位置が位置Ｂとなるようにモータ１８１を回転させる。これにより、第１のストッパー部２０の右側面の位置が図８（ａ）に示すような位置Ｂに戻り、これに伴って、第２のストッパー部２１の右側面の位置も図８（ａ）に示すような位置Ｃに戻る。このことによって、スライド部１０が第１のストッパー部２０に当接する位置から第２のストッパー部２１に当接する位置までにノブ５がスライドする距離Ｗ５を、図８（ｂ）に示すようなスライド部１０の凸部１０１が孔３０１の左端に当接する位置から孔３０１の右端に当接する位置までにノブ５がスライドする距離Ｗ４に戻すことができる。
【００５８】
このように、本発明の第２実施例のミキシング装置１は、スライド部１０の位置を任意の位置にスライドした状態で位置設定釦１５を押圧することによって、第１のストッパー部２０の右側面がスライド部１０の左側面に当接する距離だけ第１のストッパー部２０が移動すると共に、第２のストッパー部２１も第１のストッパー部２０が移動した距離と同じ距離だけスライド部１０の方向に移動することにより、ＤＪ等の使用者は、位置設定釦１５を押圧することのみで、スライド部１０が第１のストッパー部２０に当接する位置から第２のストッパー部２１に当接する位置までにノブ５がスライド可能な距離を自動的に変化させることができる。
【００５９】
以上の構成により、本発明の第２実施例のミキシング装置１は、ＤＪが普段使用しているミキシング装置のクロスフェーダ部の左端から右端までにスライド可能なノブの距離が、例えば、図９（ｂ）に示すように、距離Ｗ５であって、ダンスホールに備え付けられているミキシング装置のクロスフェーダ部の左端から右端までにスライド可能なノブの距離が、図８（ｂ）に示すように、距離Ｗ４である場合、クロスフェーダ部を図９（ａ）に示す位置とした状態で、位置設定釦１５を押圧して、クロスフェーダ部の左端から右端までにスライド可能なノブの距離を距離Ｗ５に変化させることで、ダンスホールに備え付けられているミキシング装置のクロスフェーダ部の左端から右端までにスライド可能なノブの距離を、ＤＪが普段使用しているミキシング装置のクロスフェーダ部の左端から右端までにスライド可能なノブの距離に簡単に変化させることができる。また、本発明の第２実施例のミキシング装置１は、ＤＪが普段使用しているミキシング装置のクロスフェーダ部の左端から右端までにスライド可能なノブの距離が、例えば、図８（ｂ）に示すように、距離Ｗ４であって、ダンスホールに備え付けられているミキシング装置のクロスフェーダ部の左端から右端までにスライド可能なノブの距離が、例えば、図９（ｂ）に示すように、距離Ｗ５である場合も、設定解除釦１９を押圧して、クロスフェーダ部の左端から右端までにスライド可能なノブの距離を距離Ｗ４に変化させることで、ダンスホールに備え付けられているミキシング装置のクロスフェーダ部の左端から右端までにスライド可能なノブの距離を、ＤＪが普段使用しているミキシング装置のクロスフェーダ部の左端から右端までにスライド可能なノブの距離に簡単に変化させることができる。
【図面の簡単な説明】
【００６０】
【図１】本発明の第１実施例のミキシング装置の構成を示す斜視図。
【図２】本発明の第１実施例のミキシング装置１を示すブロック図。
【図３】本発明の第１実施例のミキシング装置１のクロスフェーダ部４の構成を示す断面図で、図３（ａ）はノブ５が孔３０１の中央の位置にある状態を示す断面図、図３（ｂ）は図３（ａ）のＡ−Ａ断面図。
【図４】本発明の第１実施例において、クロスフェーダ部４をパネル３に固定した後に凸部１０１にノブ５を固定した状態を示す図で、図４（ａ）はノブ５が孔３０１の中央の位置にある状態を示す断面図、図４（ｂ）は図４（ａ）の状態からノブ５を左方向及び右方向にスライドさせた状態を示す断面図。
【図５】本発明の第１実施例において、クロスフェーダ部４をパネル３に固定した後に凸部１０１にノブ５を固定した状態を示す図で、図５（ａ）は、図４（ａ）に示す状態からドライバーの先端を第１のシャフト８の凹部８０３に嵌合させて回転させた状態を示す断面図、図５（ｂ）は、図５（ａ）の状態からノブ５を左方向及び右方向にスライドさせた状態を示す断面図。
【図６】本発明の第２実施例のミキシング装置の構成を示す斜視図。
【図７】本発明の第２実施例のミキシング装置１を示すブロック図。
【図８】本発明の第２実施例において、クロスフェーダ部５０をパネル３に固定した後に凸部１０１にノブ５を固定した状態を示す図で、図８（ａ）はノブ５が孔３０１の中央の位置にある状態を示す断面図、図８（ｂ）は図８（ａ）の状態からノブ５を左方向及び右方向にスライドさせた状態を示す断面図。
【図９】本発明の第２実施例において、パネル３に固定されたクロスフェーダ部５０を示す図で、図９（ａ）は、スライド部１０の左側面から第１のストッパー部２０の右側面までの距離が距離Ｔ１であるときに位置設定釦１５が押圧された状態を示す断面図、図９（ｂ）は、図９（ａ）の状態から第１のシャフト８が回転して第１のストッパー部２０及び第２のストッパー部２１が移動した状態を示す断面図
【図１０】従来のミキシング装置の一例の構成を示す斜視図。
【図１１】従来のミキシング装置１００を示すブロック図。
【図１２】従来のミキシング装置１００のクロスフェーダ部４００の構成を示す断面図で、図１２（ａ）はノブ５が孔３０１の中央の位置にある状態を示す断面図、図１２（ｂ）は図１２（ａ）の状態からノブ５を左方向及び右方向にスライドさせた状態を示す断面図。
【符号の説明】
【００６１】
１  ミキシング装置、２  筐体、２０１  孔、
３  パネル、３０１  孔、３０２  孔、３０３  孔、
４  クロスフェーダ部、４０  ケース部、４５  合成部、
４０１  孔、４０２  孔、４０３  孔、４０４  長孔、４０５  長孔、
４０６  雌ネジ部、４０７  雌ネジ部、
５  ノブ、５０１  孔、
６  第１の入力端子、７  第２の入力端子、
８  第１のシャフト、８０１  第１の雄ネジ部、８０２  第２の雄ネジ部、８０３  凹部、
９  第２のシャフト、
１０  スライド部、１０１  凸部、１０２  孔、１０３  孔、
１１  Ｅリング、１２  Ｅリング、
１５  位置設定釦、１６  位置検出部、１７  制御部、
１８  シャフト回動部、１８１  モータ、１９  設定解除釦、５０  クロスフェーダ部、
２０  第１のストッパー部、２１  第２のストッパー部、
２２  雌ネジ部、２３  凸部、
２５  出力端子、３０  ドライバー、３１  雄ネジ、
１００  ミキシング装置、２００  筐体、４００  クロスフェーダ部５０  ケース部、
８０  シャフト
【図１】
2007228543.tif 000003
【図２】
2007228543.tif 000004
【図３】
2007228543.tif 000005
【図４】
2007228543.tif 000006
【図５】
2007228543.tif 000007
【図６】
2007228543.tif 000008
【図７】
2007228543.tif 000009
【図８】
2007228543.tif 000010
【図９】
2007228543.tif 000011
【図１０】
2007228543.tif 000012
【図１１】
2007228543.tif 000013
【図１２】
2007228543.tif 000014